(57)【要約】      （修正有）【課題】気密性に優れた、直飲み可能な金属性真空二重瓶からなる携帯用飲料容器を提供する。【解決手段】外環状パッキン９は、上部に水平面用接触部９ａと、下部に上下面用接触部９ｂと、この両者を連結し、かつ有底筒体４の複数の突起片８、８をそれぞれ挿通する透孔を有する連結部とを一体的に形成する。この水平面用接触部９ａには、上下二段以上の先細状の舌状片９ａ１を設け、この舌状片９ａ１の上下段の間は、内筒の内筒垂直部２ｅと接触した状態で、下段の舌状片が上向きに曲がって上段に触れないような距離を保持する。外環状パッキン９の連結部の各透孔を挿通した各突起片８は、内筒２の環状突起６を飛び越えずに、この環状突起と接触し、上下面用接触部９ｂは、内筒の内筒上方傾斜部２ｄに上方より重ね合わされて接触し、水平面用接触部９ａは、内筒の内筒垂直部２ｅに上方より押圧されてほぼ水平に接触した構成とする。【選択図】図５
0003165422.tif 000002
【実用新案登録請求の範囲】
【請求項１】
内筒（２）と外筒（３）とからる真空二重瓶の容器本体（１ａ）と、容器本体（１ａ）の口元内側に装着し、かつ下部外周に弾性材料からなる外環状パッキン（９）を有する有底筒体（４）と、容器本体の口元を覆って容器本体口元外側に螺着する蓋体（５）とを備え、内筒（２）が有底の内筒胴体（２ａ）と、この内筒胴体（２ａ）上端の内筒下方傾斜部（２ｂ）と、内筒下方傾斜部上端の内筒最小径部（２ｃ）と、内筒最小径部上端の内筒上方傾斜部（２ｄ）と、内筒上方傾斜部上端の内筒垂直部（２ｅ）と、内筒垂直部下部に設けた環状突起（６）とを備え、有底筒体（４）が容器本体口元上方に配設される突出部（４ａ）と、突出部下端に容器本体口元を挟み込む下向き開放の凹みを有する嵌合部（４ｂ）と、嵌合部下端で下部外周壁に適宜の間隔を隔てて環状に配設した複数の突起片（８）、（８）を有する垂下部（４ｃ）と、有底筒体の底となり、かつ内壁周りに適宜の間隔を隔てて環状に配設した複数の飲み口（１０）、（１０）を有する底板部（４ｄ）とを備えた携帯用飲料容器（１）であって、
上記外環状パッキン（９）は、上部に水平面用接触部（９ａ）と、下部に上下面用接触部（９ｂ）と、この両者を連結し、かつ有底筒体（４）の複数の突起片（８）、（８）をそれぞれ挿通する透孔（１６）、（１６）を有する連結部（９ｃ）とを一体的に形成すると共に、
この水平面用接触部（９ａ）には、上下二段以上の先細状の舌状片（９ａ１）、（９ａ１）を設け、この舌状片（９ａ１）の上下段の間は、内筒（２）の内筒垂直部（２ｅ）と接触した状態で、下段の舌状片が上向きに曲がって上段に触れないような距離を保持する一方、
外環状パッキン（９）の連結部（９ｃ）の各透孔（１６）を挿通した各突起片（８）は、内筒（２）の環状突起（６）を飛び越えずに、この環状突起と接触し、上下面用接触部（９ｂ）は、内筒の内筒上方傾斜部（２ｄ）に上方より重ね合わされて接触し、水平面用接触部（９ａ）は、内筒の内筒垂直部（２ｅ）に上方より押圧されてほぼ水平に接触したことを特徴とする携帯用飲料容器。
【考案の詳細な説明】
【技術分野】
【０００１】
本考案は、コップに注ぐことなく直飲み可能な金属製真空二重瓶の携帯用飲料容器に関するものである。
【背景技術】
【０００２】
従来、金属製真空二重瓶の容器本体を設け、この容器本体の口元内側を覆う環状体を設け、この環状体の上面を覆い、容器本体の口元に着脱自在に螺着する容器蓋を設け、容器本体内の飲料を飲む際、容器蓋のみを離脱し、直接環状体に口をつけ直飲みし、飲み終えた後、容器本体より環状体、容器蓋を取り外し掃除することができる構造のものが携帯用飲料容器として存在した。
【０００３】
ところが、この種の携帯用飲料容器では、環状体は、単に金属製の内側筒に直接口が触れ、その金属感触が悪いので、合成樹脂製の材料による環状体によって、感触を良くするようにしたものであるため、環状体と金属製真空二重瓶の内側筒との着脱が極めて簡単すぎて、容器本体の口元を逆位にすると容器本体内の飲料が染み出すしたり、又は自然に環状体がずり落ちるという問題点があった。
【０００４】
又、容器蓋の栓部材外周下端に張設した内側パッキンは、環状体とは全く接触せず、環状体下方の容器口の内側筒のシール面よりも更に下段部分とにて接触しているために、環状体を有底とすることはできず、しかも容器蓋の栓部材は、環状体の下端を大きく通り過ぎるために、容器蓋がより大型化することとなるという問題点があった。
【０００５】
そこで、本出願人は、容器本体の口元内側の環状突起を飛び越える複数の突起片を備え、且つ複数の飲み口を設けた有底筒体にて容器本体の口元を覆い、長期使用に際しても有底筒体を常に確実に着脱自在とすることができると共に、蓋体をよりコンパクト化した携帯用飲料容器を考案し、その携帯用飲料容器が既に実用登録第３１４８０７６号公報として存在する。
【先行技術文献】
【特許文献】
【０００６】
【特許文献１】実用登録第３１４８０７６号公報
【考案の概要】
【考案が解決しようとする課題】
【０００７】
ところが、この飲料用容器では、容器本体の口元を形成する内筒の口元下方内壁に一つの環状突起を設け、有底筒体には、内筒の環状突起飛び越え、適宜の間隔を隔てて環状に配設した複数の突起片を設け、この環状に配設した突起片の上方に内筒の内筒垂直部と密に接触する上部環状突出片と下部環状突出片とを備えた外環状パッキンを張設する一方、底板部の垂下部周りには、適宜の間隔を隔てて環状に配設した複数の飲み口を設け、この有底筒体を押し下げ、突起片が環状突起の下側に配置されることで、容器本体を傾けても有底筒体の抜け落ちが解消される反面、シール性に関しては、外環状パッキンの上部環状突出片のみで行っていたために、気密性が悪いという問題点があった。
【０００８】
更に、金属製の容器本体口元及びその口元に嵌合する合成樹脂製の有底筒体並びに弾性材料の外環状パッキンの各寸法誤差がそれぞれ異なり、組み合わせによって、極めて大きな差異が生じて、容器本体口元に対して外環状パッキンが密にシールできず、容器本体口元を傾けると有底筒体の飲み口から容器本体内の飲料が吐出される以外に、容器本体口元内側壁面と有底筒体外側面との間に沿って染み出てきて、蓋体を閉める際に、容器本体口元外側が飲んだ後でも常に濡れているという問題点があった。
【課題を解決するための手段】
【０００９】
本考案は、内筒２と外筒３とからる真空二重瓶の容器本体１ａと、容器本体１ａの口元内側に装着し、かつ下部外周に弾性材料からなる外環状パッキン９を有する有底筒体４と、容器本体の口元を覆って容器本体口元外側に螺着する蓋体５とを備え、内筒２が有底の内筒胴体（２ａ）と、この内筒胴体２ａ上端の内筒下方傾斜部２ｂと、内筒下方傾斜部上端の内筒最小径部２ｃと、内筒最小径部上端の内筒上方傾斜部２ｄと、内筒上方傾斜部上端の内筒垂直部２ｅと、内筒垂直部下部に設けた環状突起６とを備え、有底筒体４が容器本体口元上方に配設される突出部４ａと、突出部下端に容器本体口元を挟み込む下向き開放の凹みを有する嵌合部４ｂと、嵌合部下端で下部外周壁に適宜の間隔を隔てて環状に配設した複数の突起片８、８を有する垂下部４ｃと、有底筒体の底となり、かつ内壁周りに適宜の間隔を隔てて環状に配設した複数の飲み口１０、１０を有する底板部４ｄとを備えた携帯用飲料容器１であって、
上記外環状パッキン９は、上部に水平面用接触部９ａと、下部に上下面用接触部９ｂと、この両者を連結し、かつ有底筒体４の複数の突起片８、８をそれぞれ挿通する透孔１６、１６を有する連結部９ｃとを一体的に形成すると共に、
この水平面用接触部９ａには、上下二段以上の先細状の舌状片９ａ１、９ａ１を設け、この舌状片９ａ１の上下段の間は、内筒２の内筒垂直部２ｅと接触した状態で、下段の舌状片が上向きに曲がって上段に触れないような距離を保持する一方、
外環状パッキン９の連結部９ｃの各透孔１６を挿通した各突起片８は、内筒２の環状突起６を飛び越えずに、この環状突起と接触し、上下面用接触部９ｂは、内筒の内筒上方傾斜部２ｄに上方より重ね合わされて接触し、水平面用接触部９ａは、内筒の内筒垂直部２ｅに上方より押圧されてほぼ水平に接触した構成としている。
【考案の効果】
【００１０】
本考案は、従来の問題点を解決したものであって、容器本体口元への有底筒体の着脱を極めてスムーズに行うことができると共に容器本体内と有底筒体とが密にシールできて、容器本体内の飲料の染み出しを確実に防ぐことができる携帯用飲料容器を提供するにある。
【図面の簡単な説明】
【００１１】
【図１】本考案実施例の正面図。
【図２】本考案実施例の分解斜視図。
【図３】本考案実施例の上部分解縦断面図。
【図４】本考案実施例の上部縦断面図。
【図５】本考案実施例の要部を示す一部縦断面図。
【考案を実施するための形態】
【００１２】
携帯用飲料容器１は、金属製の内筒２と金属製の外筒３とからなる容器本体１ａと、容器本体１ａの口元内側に装着する有底筒体４と、容器本体１ａの口元外側に螺着する蓋体５とから構成されている。
【００１３】
容器本体１ａの内筒２は、図３及び図４に示すように、ステンレス等の金属材料にて有底筒状に形成されており、内筒胴体２ａと、この内筒胴体２ａの上端を上方に向けて内側にすぼめた内筒下方傾斜部２ｂと、この内筒下方傾斜部２ｂの上端より上方に延びた内筒最小径部２ｃと、この内筒最小径部２ｃの上端より上方に向けてわずかに拡がり延びた内筒上方傾斜部２ｄと、この内筒上方傾斜部２ｄの先端より上方に向けて延びた内筒垂直部２ｅとが一体的に形成されている。
【００１４】
この内筒２の内筒垂直部２ｅの下部内側には、図３に示すように、後述の有底筒体４の複数の突起片８，８の各壁面と当接可能な環状突起６を設けている。
【００１５】
容器本体１ａの外筒３は、図３及び図４に示すように、内筒２と同一材料であるステンレス等の金属材料にて間隔を設けて内筒２を囲むように有底筒状に形成されており、外筒胴体３ａと、この外筒胴体３ａの上端を上方に向けて内側にすぼめた外筒傾斜部３ｂと、この外筒傾斜部３ｂの上端より上方に延びた外筒小径部３ｃと、この外筒小径部３ｃの上端より更に内側にすぼめてその先端が上方に延びた外筒口元接合部３ｄとが一体的に形成されている。
【００１６】
この外筒小径部３ｃの外側壁には、後述の蓋体５の雌ネジを螺着する雄ネジ７が刻設されている。
容器本体１ａの外筒３の外筒口元接合部３ｄと内筒２の内筒垂直部２ｅの上端部とは、図３乃至図５に示すように、重ね合わされて溶接され、容器本体１ａの口元とされており、この外筒３と内筒２との隙間は、真空引きされている。
【００１７】
有底筒体４には、図２乃至図４に示すように、上部に突出部４ａと、この突出部４ａの下部に容器本体１ａの口元内外を跨ぐ下向き開放の凹みを備えた嵌合部４ｂと、この嵌合部４ｂの下端よりわずかに内側で下方に延びた垂下部４ｃと、この垂下部４ｃの下端で有底筒体４の底となる底板部４ｄとが一体的に形成されている。
【００１８】
この垂下部４ｃの下部外側には、有底筒体４が容器本体１ａ内に差し込まれたとき、容器本体１ａの環状突起６の突起壁面にそれぞれ接触する複数の突起片８、８が設けられている。
この突起片８は、図２に示すように、有底筒体４の垂下部４ｃの外周壁に適宜の間隔を隔てて複数設けられている。この突起片８は、一つの環状としてつながったものではなく、適宜の間隔を隔てて複数設けられているために、容器本体１ａの環状突起６に対して上下動容易でスムーズにその壁面と接触することができる。
【００１９】
有底筒体４の垂下部４ｃの下部外周壁には、図２乃至図４に示すように、外環状パッキン９が張設されている。この外環状パッキン９には、上部に内筒垂直部２ｅ内壁と接触する水平面用接触部９ａと、下部に内筒上方傾斜部２ｄ内壁と接触する上下面用接触部９ｂと、この水平面用接触部９ａと上下面用接触部９ｂとを連結し、かつ有底筒体４の各突起片８をそれぞれ挿通する透孔１６、１６を備えた連結部９ｃとが弾性材料にて一体的に形成されている。
【００２０】
この外環状パッキン９の水平面用接触部９ａは、図３乃至図５に示すように、外側に向けて上下二段の舌状片９ａ１、９ａ１を備えている。この舌状片９ａ１は、上下二段に限らず三段以上あっても何ら支障をきたすものではない。この外環状パッキン９は、図４に示すように、有底筒体４の下方より上向きにして有底筒体４の垂下部４ｃの下部外周壁に被せられ、外環状パッキン９の連結部９ｃの各透孔１６にそれぞれ有底筒体４の各突起片８を嵌め込んでいる。
【００２１】
この外環状パッキン９を嵌合した有底筒体４では、図４及び図５に示すように、容器本体１ａ口元に嵌め込まれた際、外環状パッキン９の上下面用接触部９ｂの外壁面が、内筒２の内筒上方傾斜部２ｄと上下で接触し、有底筒体４の各突起片８の外壁面が、内筒２の環状突起６の内壁面にそれぞれ接触し、更に外環状パッキン９の水平面用接触部９ａの各舌状片９ａ１が、内筒２の内筒垂直部２ｅの内壁面と水平に接触することとなる。
【００２２】
更に、この外環状パッキン９の上下二段となっている舌状片９ａ１が、それぞれ内筒２の内筒垂直部２ｅと接触した際に、舌状片９ａ１の先端部分が、接触したまま跳ね上げられて、この内筒垂直部２ｅの内壁面と密に接触することとなるために、有底筒体４の上下移動の規制を内筒２の環状突起６に接合する各突起片８と共に阻止する働きを兼ねている。
【００２３】
叉、内筒２の内壁面に沿って染み出す飲料の規制を内筒２の内筒上方傾斜部２ｄと上下に接触する外環状パッキン９の上下面用接触部９ｂと共に阻止する働きを兼ねている。更に、水平面用接触部９ａの舌状片９ａ１を上下に二段以上設けることによって、容器本体１ａの内筒垂直部２ｅ及び外環状パッキン９を嵌合した有底筒体４の各寸法誤差に関わりなく許容できて密にシールすることができる。
【００２４】
有底筒体４の嵌合部４ｂは、図４に示すように、内筒２と外筒３とが重ね合わさった容器本体１ａの口元を覆っており、容器本体１ａの口元の左右移動をも確実に規制している。
有底筒体４の底板部４ｄには、図２乃至図４に示すように、垂下部４ｃの下端内壁周りに適宜の間隔を隔てて複数の飲み口１０，１０が設けられている。この飲み口１０の一つは、空気抜き口として用いられている。
【００２５】
蓋体５は、図３及び図４に示すように、容器本体１ａの口元に被さった有底筒体４を上方より覆う蓋部材１１と、蓋部材１１の上端を覆う蓋カバー１２と、有底筒体４の突出部４ａ内壁面又は上面と密に接触する内環状パッキン１３とからなっている。
１４は、断熱材である。
【００２６】
蓋体５の蓋部材１１には、図３及び図４に示すように、内壁下端に容器本体１ａの外筒３に設けた雄ネジ７に螺着する雌ネジ１５を刻設している。蓋部材１１の内壁下部周りには、図４に示すように、内環状パッキン１３が張設されており、有底筒体４の突出部４ａ、嵌合部４ｂ及び垂下部４ｃの内側壁に密に接触している。
【００２７】
次に、容器本体１ａ内の飲料を直飲みするには、蓋体５を容器本体１ａより螺子外せば、有底筒体４の突出部４ａに口をつけて飲むことができる。その際、容器本体１ａ内に入れられた氷は、有底筒体４の底板部４ｄに邪魔されて飲料と共に排出されることはない。
【００２８】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２９】
１…携帯用飲料容器
１ａ…容器本体
２…内筒
２ａ…内筒胴体
２ｂ…内筒下方傾斜部
２ｃ…内筒最小径部
２ｄ…内筒上方傾斜部
２ｅ…内筒垂直部
３…外筒
３ａ…外筒胴体
３ｂ…外筒傾斜部
３ｃ…外筒小径部
３ｄ…外筒口元接合部
４…有底筒体
４ａ…突出部
４ｂ…嵌合部
４ｃ…垂下部
４ｄ…底板部
５…蓋体
６…環状突起
７…雄ネジ
８，８…突起片
９…外環状パッキン
９ａ…水平面用接触部
９ｂ…上下面用接触部
９ａ１、９ａ１…舌状片
１０，１０…飲み口
１１…蓋部材
１２…蓋カバー
１３…内環状パッキン
１４…断熱材
１５…雌ネジ
１６…透孔
【図１】
0003165422.tif 000003
【図２】
0003165422.tif 000004
【図３】
0003165422.tif 000005
【図４】
0003165422.tif 000006
【図５】
0003165422.tif 000007